(57)【要約】【課題】負圧解除孔からの内容物の漏れを回避して使い勝手の改善を図る。【解決手段】噴射ノズルにつながる排出通路を有するボディと、このボディの基部を容器の口部に固定保持するベースキャップを備え、レバーの牽曳とその解除を交互に繰り返して容器内の内容物を吸引、加圧して該排出通路を通して噴射ノズルより内容物を噴出させるトリガー式噴出器において、前記ボディの基部に、外気を取り入れて容器内の負圧を解除する貫通孔と、この貫通孔に隣接配置され容器の底面に向かって突出する凸部とを設け、この凸部に微小開孔を形成して嵌合保持され基部の背面との接触下に該貫通孔の一部を残して覆い隠すカバーを配置する。【選択図】　　　　図１
2004105925.tif 000002
【特許請求の範囲】
【請求項１】
噴射ノズルにつながる排出通路を有するボディと、このボディの基部を容器の口部に固定保持するベースキャップを備え、レバーの牽曳とその解除を交互に繰り返して容器内の内容物を吸引、加圧して該排出通路を通して噴射ノズルより内容物を噴出させるトリガー式噴出器であって、
前記ボディの基部に、外気を取り入れて容器内の負圧を解除する貫通孔と、この貫通孔に隣接配置され容器の底面に向かって突出する凸部とを設け、この凸部に微小開孔を形成して嵌合保持され基部の背面との接触下に該貫通孔の一部を残して覆い隠すカバーを配置したことを特徴とするトリガー式噴出器。
【請求項２】
凸部は十字、三角、矩形の平面形状を有する請求項１記載のトリガー式噴出器。
【発明の詳細な説明】
【０００１】
【発明の属する技術分野】
本発明は、黴び取り剤や洗剤、整髪剤、芳香剤等を入れた容器に多く用いられているトリガー式噴出器に関するものであり、該噴出器に設けられた負圧解除孔からの液漏れを有利に回避しようとするものである。
【０００２】
【従来の技術】
レバーの牽曳と解除を交互に行って容器内の内容物を噴出させるトリガー式の噴出器は、内容物の排出に伴う容器内の減圧状態を解消することを目的としてレバーを牽曳した時のみ開放して外気を容器内に導く負圧解除孔が設けられている。
【０００３】
ところで、上記負圧解除孔は、容器を傾けたり逆さまにした状態で内容物を噴射させるような使いかたをする場合、その噴出開始当初やレバーをゆっくり牽曳した時に該負圧解除孔を通して内容物が漏れ出てしまう可能性が存在していた。
【０００４】
このような従来の不具合を解消する技術としては、負圧解除孔からの空気の流入を許容するが、容器内の内容物の通過を阻止する内栓部材を設けた構造のものが提案されている（例えば特許文献１参照）。
【０００５】
【特許文献１】
特開平１０−２３６５０２号公報。
【０００６】
しかしながら、上記のような内栓部材を設けたものは、噴出器の基部の背面と内栓部材との間に比較的大きな空室が形成されるため、その空室に内容物が溜まってしまう可能性が存在しており、該空室に内容物が溜まった状態で容器を傾けたり逆さまにして使用するような状況下では、負圧解除孔を通過して内容物が漏れ出すことも懸念され、その解消には至ってはいない。
【０００７】
【発明が解決しようとする課題】
本発明の課題は、負圧解除孔からの液漏れを回避できる新規なトリガー式噴出器を提案するところにある。
【０００８】
【課題を解決するための手段】
本発明は、噴射ノズルにつながる排出通路を有するボディと、このボディの基部を容器の口部に固定保持するベースキャップを備え、レバーの牽曳とその解除を交互に繰り返して容器内の内容物を吸引、加圧して該排出通路を通して噴射ノズルより内容物を噴出させるトリガー式噴出器であって、
前記ボディの基部に、外気を取り入れて容器内の負圧を解除する貫通孔と、この貫通孔に隣接配置され容器の底面に向かって突出する凸部とを設け、この凸部に微小開孔を形成して嵌合保持され基部の背面との接触下に該貫通孔の一部を残して覆い隠すカバーを配置したことを特徴とするトリガー式噴出器である。
【０００９】
上記の構成になる噴出器において、凸部は十字、三角、矩形等の平面形状を有するものがとくに好適である。
【００１０】
以下、図面を参照して本発明をより具体的に説明する。
【００１１】
図１は本発明に従うトリガー式の噴出器の実施の形態をその断面で示したものである。図において１は噴射ノズル、２は噴射ノズル１を装着した噴出器のボディであって、このボディ２には該噴射ノズル１につながる排出通路２ａが設けられている。
【００１２】
また、３はボディ２の基部２ｂを容器の口部に固定保持するベースキャップ、４はボディ２に一体的に設けられたシリンダ、５はシリンダ４内で往復移動可能なピストン、６はピストン５とシリンダ４の相互間に配置され該ピストン５を初期姿勢に復元するスプリング、７はボディ２に揺動可能に保持されるレバー、８は容器内の内容物を吸引する吸引管である。
【００１３】
また、９はボディ２の基部２ｂに設けられ外気を取り入れて容器内の負圧を解除するための貫通孔、１０は基部２ｂにおいて貫通孔９に隣接配置され容器の底面に向かって突出する凸部、そして１１は一端が凸部１０に微小開孔ｔを形成して嵌合保持され他端が外方に広がるフランジ状になっており、該フランジ状の他端が基部２ｂの背面と接触し該貫通孔９の一部を残して覆い隠すカバーである。
【００１４】
図２（ａ）（ｂ）にボディ２のみを取り出して示すように、凸部１０は例えばその平面形状を十字状にすることができ、ここに、円形の開孔を有するカバー１１を嵌合させることでその相互間に微小開孔ｔを形成することができ、レバー７を牽曳した際、貫通孔９から微小開孔ｔを通して外気を容器内に導入することが可能となる。
【００１５】
微小開孔ｔまたはカバー１１によって覆い隠されない貫通孔９の一部分を空気の侵入のみを許容する開孔面積としておくことで内容物の侵入を抑制することができ、さらには微小開孔ｔと貫通孔９との相互間に形成される空間は容積が小さいためにそこに内容物が溜まることもなく、容器を傾けたり逆さまにして使用することがあってもその噴出開始当初やレバーをゆっくり牽曳する時等でも、従来形式の噴出器に比較して内容物が漏れ出すおそれはほとんどなくなる。
【００１６】
カバー１１はそのフランジ状の他端がボディ２の基部２ｂに接触して貫通孔９の一部を残して覆い隠すものであり、その接触部位は高いシール性が要求される。このため該カバー１１は凸部１０に嵌合保持した状態で基部２ｂにその他端を押しつける力が作用するようにゴムの如き弾性体を適用するのが好ましい。
【００１７】
図１に示したカバー１１は円形の開孔を有するものとし、凸部１０は十字状の平面形状を有するものを例として示したが、図３〜図５に示すような形状を有するものであってもよく、開孔ｔの開口形状や凸部１０の平面形状はとくに限定はされない。
【００１８】
【発明の効果】
本発明によれば、外気は貫通孔及び微小開孔を通して容器内に導入されるため、容器の使用姿勢によって内容物が該貫通孔を通して外部に簡単に漏れでることはないので使い勝手が著しく改善される。
【図面の簡単な説明】
【図１】本発明に従う噴出器の実施の形態を示した図である。
【図２】（ａ）（ｂ）は噴射筒のみを取り出して示した図であり、（ａ）は側面図、（ｂ）は底面図である。
【図３】凸部とカバーの組み合わせ例を示した図である。
【図４】凸部とカバーの組み合わせ例を示した図である。
【図５】凸部とカバーの組み合わせ例を示した図である。
【符号の説明】
１　噴射ノズル
２　ボディ
２ａ　排出経路
２ｂ　基部
３　ベースキャップ
４　シリンダ
５　ピストン
６　スプリング
７　レバー
８　吸引管
９　貫通孔
１０　凸部
１１　カバー
ｔ　微小開孔
【図１】
2004105925.tif 000003
【図２】
2004105925.tif 000004
【図３】
2004105925.tif 000005
【図４】
2004105925.tif 000006
【図５】
2004105925.tif 000007